(57)【要約】【課題】簡易な構成によって、同軸ケーブルをより確実に保持することを可能とする。【解決手段】同軸ケーブルＳＣの内部導体ＳＣａを挟持するように折り曲げて使用する導電コンタクト１２の接点部１２ａ３，１２ａ７を、同軸ケーブルＳＣの軸線方向に複数並列して設けたことで、同軸ケーブルＳＣの内部導体ＳＣａに対して導電コンタクト１２の接点部１２ａ３，１２ａ７をより確実に接触させる構成を採用したものである。【選択図】図１０
2014078322.tif 000002
【特許請求の範囲】
【請求項１】
同軸ケーブルの内部導体に接続される接点部を有する導電コンタクトを備え、
前記導電コンタクトが、前記同軸ケーブルの内部導体を径方向に挟持するように折り曲げられることで当該導電コンタクトの接点部が前記同軸ケーブルの内部導体に電気的に接続される構成になされた同軸コネクタにおいて、
前記導電コンタクトの接点部が、前記同軸ケーブルの軸線方向に複数並列して設けられていることを特徴とする同軸コネクタ。
【請求項２】
前記導電コンタクトの接点部は、前記同軸ケーブルの内部導体の径方向における一方側および他方側にそれぞれ接触する第１および第２の突状接点部からなり、
それら第１および第２の突状接点部は、前記同軸ケーブルの径方向に互いに対向することなく前記同軸ケーブルの軸線方向に異なる位置に形成されていることを特徴とする請求項１記載の同軸コネクタ。
【請求項３】
前記第１および第２の突状接点部の一方が、前記導電コンタクトに形成された凹部又は穴部の端縁により形成され、
前記第１および第２の突状接点部の他方が、前記導電コンタクトに形成された凸部により構成されていることを特徴とする請求項２記載の同軸コネクタ。
【請求項４】
前記第１および第２の突状接点部の一方が、前記導電コンタクトの板幅方向において前記軸ケーブルを挟んだ前記同軸ケーブルの径方向両側から対向するように配置されていることを特徴とする請求項２記載の同軸コネクタ
【発明の詳細な説明】
【技術分野】
【０００１】
本発明は、絶縁ハウジングに取り付けられた導電コンタクトを折り曲げることで同軸ケーブルの内部導体を挟持する構成になされた同軸コネクタに関する。
【背景技術】
【０００２】
一般に、携帯電話等の種々の電子機器又は電気機器において、信号電送媒体として同軸ケーブルが広く採用されているが、その同軸ケーブルを印刷配線基板側に対して効率的に接続する電気コネクタとして同軸コネクタが使用されている。例えば、下記の特許文献１に記載された同軸コネクタでは、同軸ケーブルの内部導体に接続される導電コンタクトが、同軸ケーブルの内部導体を径方向に挟持するように折り曲げられることで、当該導電コンタクトの接点部が同軸ケーブルの内部導体に電気的に接続される。このような構成を有する同軸コネクタによれば、導電コンタクトと同軸ケーブルとを接続するための半田接続作業が省略され、その分だけ、組立て作業性が向上されるとともに、半田材の廃棄等による環境的観点の問題が解消され、しかも半田の使用量の差に起因した特性インピーダンスのズレが無くなるという利点が得られる。
【０００３】
しかしながら、このような従来の同軸コネクタにおいては、同軸ケーブルの内部導体に接続される導電コンタクトの挟持面が平坦面形状をなすように形成されており、同軸ケーブルの内部導体に対する導電コンタクトの接触圧が比較的小さくなっているとともに、同軸ケーブルの内部導体を板横幅方向に位置規制する機能を有していないことから、例えば、同軸ケーブルを引き抜く方向に外力が付加されるなど、予想外の外力が加えられた場合において同軸ケーブルが位置ズレしたり軸線方向に離脱してしまうおそれがある。
【先行技術文献】
【特許文献】
【０００４】
【特許文献１】特開２０１１−４０２６２号公報
【発明の開示】
【発明が解決しようとする課題】
【０００５】
そこで本発明は、簡易な構成によって、同軸ケーブルをより確実に保持することができるようにした同軸コネクタを提供することを目的とする。
【課題を解決するための手段】
【０００６】
上記目的を達成するため本発明においては、同軸ケーブルの内部導体に接続される接点部を有する導電コンタクトを備え、前記導電コンタクトが、前記同軸ケーブルの内部導体を径方向に挟持するように折り曲げられることで当該導電コンタクトの接点部が前記同軸ケーブルの内部導体に電気的に接続される構成になされた同軸コネクタにおいて、前記導電コンタクトの接点部が、前記同軸ケーブルの軸線方向に複数並列して設けられた構成になされている。
【０００７】
このような構成によれば、同軸ケーブルの内部導体に対する導電コンタクトの接触箇所が増大された状態となり、その分、同軸ケーブルの内部導体に対する接触力が増大し、保持性が高められる。
【０００８】
また、本発明における前記導電コンタクトの接点部は、前記同軸ケーブルの内部導体の径方向における一方側および他方側にそれぞれ接触する第１および第２の突状接点部からなり、それら第１および第２の突状接点部は、前記同軸ケーブルの径方向に互いに対向することなく前記同軸ケーブルの軸線方向に異なる位置に形成されていることが望ましい。
【０００９】
このような構成によれば、導電コンタクトに設けられた第１および第２の突状接点部が、同軸ケーブルの軸線方向において異なる位置で径方向に押圧するように接触することとなり、それら導電コンタクトの第１および第２の突状接点部の押圧接触力によって、同軸ケーブルが屈曲した状態となって、さらに良好な保持性が得られる。
【００１０】
また、本発明においては、前記第１および第２の突状接点部の一方が、前記導電コンタクトに形成された凹部又は穴部の端縁により形成され、前記第１および第２の突状接点部の他方が、前記導電コンタクトに形成された凸部により構成されていることが望ましい。
【００１１】
このような構成によれば、第１および第２の突状接点部の一方を構成している凹部又は穴部の内方に、第１および第２の突状接点部の他方を構成している凸部が入り込むような配置関係とすることによって、同軸ケーブルの屈曲が確実に行われることとなり、同軸ケーブルの保持性がさらに向上される。
【００１２】
また、本発明においては、前記第１および第２の突状接点部の一方が、前記導電コンタクトの板幅方向において前記同軸ケーブルを挟んだ両側から対向するように配置されていることが望ましい。
【００１３】
このような構成によれば、導電コンタクトの接点部によって、同軸ケーブルが導電コンタクトの板幅方向に位置規制されることとなり、導電コンタクトの接点部と同軸ケーブルとの電気的接触が更に確実に行われる。
【発明の効果】
【００１４】
以上述べたように本発明は、同軸ケーブルの内部導体を挟持するように折り曲げて使用する導電コンタクトの接点部を、同軸ケーブルの軸線方向に複数並列して設け、同軸ケーブルの内部導体に対して導電コンタクトの接点部をより確実に接触させる構成を採用したものであるから、簡易な構成によって、同軸ケーブルをより確実に保持することができ、同軸コネクタの信頼性を低廉かつ大幅に向上させることができる。
【図面の簡単な説明】
【００１５】
【図１】本発明の第１の実施形態にかかるプラグコネクタに同軸ケーブルをセットして接続する作業の途中過程を表した外観斜視説明図である。
【図２】図１に示されたプラグコネクタ単体の初期状態を表した外観斜視説明図である。
【図３】図２に示されたプラグコネクタ単体の正面説明図である。
【図４】図３中の A−A線に沿った縦断面説明図である。
【図５】図１〜図４に示されたプラグコネクタに用いられている導電コンタクトを拡大して表した外観斜視説明図である。
【図６】図５に表された導電コンタクトの正面説明図である。
【図７】図５に表された導電コンタクトの側面説明図である。
【図８】図６中の B−B線に沿った縦断面説明図である。
【図９】図４で示された初期状態にあるプラグコネクタに同軸ケーブルをセットした状態を表した縦断面説明図である。
【図１０】図９に表された同軸ケーブルのセット状態からシェル蓋部を折り曲げて接続作業を完了した状態を表した縦断面説明図である。
【図１１】図１０中のC部を拡大して表した縦断面説明図である。
【図１２】本発明の第２の実施形態にかかる導電コンタクトを拡大して表した外観斜視説明図である。
【図１３】図１２に表された導電コンタクトの正面説明図である。
【図１４】図１２に表された導電コンタクトの側面説明図である。
【図１５】図１３中のD−D線に沿った縦断面説明図である。
【発明を実施するための形態】
【００１６】
以下、信号伝送媒体として細線同軸ケーブルを使用する同軸コネクタに本発明を適用した実施形態についての説明を図面に基づいて詳細に行う。
【００１７】
［同軸コネクタ組立体全体構造について］
図１〜図１１に示されている本発明の実施形態にかかるプラグコネクタ１０は、信号伝送媒体としての細線同軸ケーブルＳＣの端末部分が連結された状態（図１０および図１１参照）で、図示を省略した所定の印刷配線基板上に実装されたリセプタクルコネクタなどからなる相手コネクタに対して、上方から差し込むようにして嵌合または抜去される構成になされている。その相手コネクタ（リセプタクルコネクタ等）に対するプラグコネクタ１０の嵌合・抜去作業は、印刷配線基板の平面に対して略直交する方向に行われる。
【００１８】
より具体的には、プラグコネクタ１０の全体は、略円筒形状をなすように形成されており、その略円筒形状をなすプラグコネクタ１０に対して径方向外方側から細線同軸ケーブルＳＣの端末部が連結された状態で、相手コネクタ（リセプタクルコネクタ等）の上方位置に対面するようにプラグコネクタ１０が配置される。そして、当該プラグコネクタ１０の全体が、印刷配線基板の外表面に対して略直交する方向に下降されていくことによってプラグコネクタ１０の下端部分が、相手コネクタの上端部分に対して嵌合状態になされる。
【００１９】
このように、相手コネクタ（リセプタクルコネクタ等）にプラグコネクタ１０が差し込まれた嵌合状態においては、細線同軸ケーブルＳＣの端末部が、プラグコネクタ１０および相手コネクタを介して印刷配線基板上の配線パターン導電路に接続されることとなるが、以下においては、プラグコネクタ１０を差し込む方向を「下方向」とし、それとは反対に抜き出す抜去方向を「上方向」とする。また、プラグコネクタ１０において、細線同軸ケーブルＳＣの端末部が接続される方の端縁部を「後端縁部」とするとともに、それと反対側の端縁部を「前端縁部」とし、その「後端縁部」から「前端縁部」に向かう方向を「前方」、その逆方向を「後方」とする。さらに、それらの「上下方向」および「前後方向」の双方に直交する方向を「左右方向」とする。
【００２０】
［同軸ケーブルについて］
特に図１および図１０に示されているように、信号伝送媒体としての細線同軸ケーブルＳＣの端末部分は、外周被覆材が皮剥きされることによって、ケーブル内部導体（信号線）ＳＣａおよびケーブル外部導体（シールド線）ＳＣｂが、同軸状をなすように露出されており、当該細線同軸ケーブルＳＣの中心軸に沿うようにして配置されたケーブル内部導体ＳＣａが、絶縁ハウジング１１に取り付けられた導電コンタクト（シグナル導電コンタクト）１２に接続されることによって信号回路が構成される。また、ケーブル内部導体ＳＣａの外周側を取り囲むように配置されたケーブル外部導体ＳＣｂは、後述するシールドシェル１３に接続され、そのシールドシェル１３が、外部導電コンタクト（グランド導電コンタクト）として機能することによってグランド回路が構成されるようになっている。
【００２１】
［絶縁ハウジングについて］
このようなプラグコネクタ１０の絶縁ハウジング１１は、略円板形状に形成された絶縁本体部１１ａおよび絶縁挿入部１１ｂを一体的に有している。そのうちの絶縁本体部１１ａの略中央部分には、上述した細線同軸ケーブルＳＣの端末部分が載置されるとともに（図９参照）、導電コンタクト（シグナル導電コンタクト）１２が取り付けられており、導電コンタクト１２の周囲を取り囲むようにして、外部導電コンタクト（グランド導電コンタクト）としてのシールドシェル１３が取り付けられている。このうちの絶縁本体部１１ａの後端部分には、コネクタ正面視略半円形状の凹溝からなるケーブル支持部１１ｃ（図２参照）が形成されており、そのケーブル支持部１１ｃの内部に、上述した細線同軸ケーブルＳＣの端末部分が載置されて受けられるようになっている。
【００２２】
また、絶縁ハウジング１１の絶縁挿入部１１ｂは、前記絶縁本体部１１ａから下方に向かって突出する中空円筒状部材から形成されており、その絶縁挿入部１１ｂが、嵌合相手である相手コネクタ（リセプタクルコネクタ）の内方に向かって下端側から挿入される構成になされている。
【００２３】
［シールドシェルについて］
さらに、上述した絶縁本体部１１ａおよび絶縁挿入部１１ｂを有する絶縁ハウジング１１の外側表面は、薄板金属状部材からなるシールドシェル１３によって覆われている。このシールドシェル１３は、特に図１ないし図４、および図１０に示されているように、絶縁ハウジング１１の絶縁本体部１１ａの外周側面を環状に覆うシェル本体部１３ａと、同じく絶縁ハウジング１１の絶縁本体部１１ａの上面部を覆うシェル蓋部１３ｂと、絶縁ハウジング１１に設けられた絶縁挿入部１１ｂを外方側から覆うシェル挿入部１３ｃと、を有している。
【００２４】
このとき、細線同軸ケーブルＳＣの端末部分を接続して固定する前の段階である初期状態においては、上述したシールドシェル１３のシェル蓋部１３ｂが、図１および図９に示されているような開放状態になされている。すなわち、その初期状態におけるシェル蓋部１３ｂは、シェル本体部１３ａの前端部分に細幅状部材からなる繋ぎ部材１３ｄを介して略鉛直上方に立ち上がるように配置されている。また、そのシェル蓋部１３ｂの内方側には、絶縁ハウジング１１の絶縁本体部１１ａから上方に立ち上がる絶縁押圧板１１ｄが、シェル蓋部１３ｂの内表面に沿うように配置されている。なお、上述の繋ぎ部材１３ｄの設置位置および設置個数は任意に選定することが可能である。
【００２５】
そして、上述したシールドシェル１３の開放状態において、細線同軸ケーブルＳＣの端末部分が、図１および図９のようにケーブル支持部１１ｃに受けられるように載置されてセットされた後、繋ぎ部材１３ｄが絶縁押圧板１１ｄとともに略直角下方に折り曲げられるようにしてシールドシェル１３のシェル蓋部１３ｂが略水平状態まで押し倒される。これによって、絶縁ハウジング１１の絶縁本体部１１ａがシェル蓋部１３ｂにより上方側から覆われてシールドシェル１３が閉塞状態になされる（図１１参照）。
【００２６】
このときのシェル蓋部１３ｂは、当該シェル蓋部１３ｂが上述したように略水平状態まで押し倒された際に、シェル本体部１３ａの上方側部分および外周側部分を覆うように被せられる構造になされているが、その際において、当該シェル本体部１３ａの後端部分から突出する一対の後方板バネ部１３ｅ，１３ｅに対して、シェル蓋部１３ｂに突設された一対の係合舌片１３ｆ，１３ｆが固定されるようになっている。すなわち、それらの係合舌片１３ｆ，１３ｆを構成している両側板状部材の端縁側部分が、後方板バネ部１３ｅ，１３ｅを両側外方から覆うように装着され、その後に内方側に折り曲げられてカシメによる固定が行われ、それによってシェル本体部１３ａに対するシェル蓋部１３ｂの固定が行われている。
【００２７】
また、このときのシェル蓋部１３ｂは、細線同軸ケーブルＳＣに対しても、上方から外側部分を覆うように被せられる構成になされている。すなわち、シェル蓋部１３ｂにおいて細線同軸ケーブルＳＣに対応した位置には、一対のケーブル保持部１３ｇ，１３ｇが、細線同軸ケーブルＳＣを挟んで左右方向に対向するように設けられている。それらのケーブル保持部１３ｇ，１３ｇは、前述したようにシェル蓋部１３ｂが略水平状態まで押し倒された際に、その先端部分が内方側に折り曲げられてカシメによる固定が行われる構成になされているが、そのときケーブル外部導体ＳＣｂがケーブル保持部１３ｇ，１３ｇに接触することで（図１０参照）、シールドシェル１３によるグランド回路が構成されるようになっている。
【００２８】
また、このシールドシェル１３のシェル挿入部１３ｃは、嵌合相手である相手コネクタ（リセプタクルコネクタ）の径方向外方に挿入される構成になされており、前述した相手コネクタ（リセプタクルコネクタ）の径方向内方側に挿入される絶縁ハウジング１１の絶縁挿入部１１ｂとともにコネクタ連結部分を構成している。より具体的には、シェル挿入部１３ｃは、略円筒形状を有するように形成されており、当該シェル挿入部１３ｃの挿入側の下端部分に、径方向内方側に向かって突出する環状凹溝からなる連結係合部１３ｈが形成されている。そして、前述したようにシェル蓋部１３ｂが略水平状態まで押し倒された際に、当該連結係合部１３ｈが、嵌合相手である相手コネクタ（リセプタクルコネクタ）に設けられた連結係止部（図示省略）に対して弾性的な嵌合関係になされるようになっている。
【００２９】
［シグナル導電コンタクトについて］
また、本実施形態において採用されている導電コンタクト（シグナル導電コンタクト）１２は、前述した絶縁ハウジング１１の絶縁本体部１１ａに圧入又はインサート成形等により取り付けられているが、特に図５〜図１１に示されているように、細線同軸ケーブルＳＣのケーブル内部導体（信号線）ＳＣａに接続されるケーブル挟持部１２ａを有しているとともに、そのケーブル挟持部１２ａから下方側に向かって延出するように設けられた弾性バネ部１２ｂが、嵌合の相手コネクタ（リセプタクルコネクタ等）に設けられた導電コンタクト（図示省略）に対して弾性的に接触する構成になされている。
【００３０】
そのうちのケーブル挟持部１２ａは、側面視において略Ｃ字形状又は略Ｌ字形状をなすように折り曲げ形成されたクリップビーム構造を有しており、両辺部同士を互いに近付けるように折り曲げることによって、細線同軸ケーブルＳＣのケーブル内部導体（信号線）ＳＣａを上下からクリップ状に挟む構造になされている。より具体的には、このケーブル挟持部１２ａを構成している上側ビーム部１２ａ１は、上述した細線同軸ケーブルＳＣの端末部分を連結する前の段階である初期状態において、例えば図５ないし図９に示されているような上方開放状態になされている。その初期状態における上側ビーム部１２ａ１は、略上方に向かって立ち上がる形状を有している。そして、図１および図９のように、細線同軸ケーブルＳＣの端末部分がケーブル支持部１１ｃに載置されてセットされた後、シールドシェル１３のシェル蓋部１３ｂが絶縁押圧板１１ｄとともに略水平状態まで押し倒された際に（図１０参照）、その絶縁押圧板１１ｄによってケーブル挟持部１２ａの上側ビーム部１２ａ１が略水平状態まで押し倒され、当該上側ビーム部１２ａ１が、ケーブル内部導体（信号線）ＳＣａを上方側から押圧する構成になされている。
【００３１】
ここで、上述したケーブル挟持部１２ａを構成している上側ビーム部１２ａ１における延在方向の途中位置は、ケーブル内部導体（信号線）ＳＣａを上方側から押圧する上方電極部に形成されている。この上方電極部は、細線同軸ケーブルＳＣを挟持する下方向に突出する屈曲形状に形成されている。そして、この上側ビーム部１２ａ１の上方電極部には、当該上方電極部の屈曲形状の頂部を含む部位に、平面略矩形状をなす接点用穴１２ａ２が、上側ビーム部１２ａ１を板厚方向に貫通するように形成されている。
【００３２】
この貫通孔からなる接点用穴１２ａ２の下方側開口部は、上述した上方電極部の屈曲形状に伴って押し広げられた状態に変形されており、その接点用穴１２ａ２の下方側開口部を形成している内周縁部が、細線同軸ケーブルＳＣ側に向かってエッジ形状に突出する第１の突状接点部１２ａ３になされている。この第１の突状接点部１２ａ３は、前述したようにシェル蓋部１３ｂが略水平状態まで押し倒された際に、細線同軸ケーブルＳＣのケーブル内部導体（信号線）ＳＣａに対して上方側から圧接する構成になされている。
【００３３】
このように導電コンタクト（シグナル導電コンタクト）１２の上側ビーム部１２ａ１に形成された第１の突状接点部１２ａ３を、細線同軸ケーブルＳＣの軸線方向に見たときには、特に図１０および図１１に示されているように、細線同軸ケーブルＳＣのケーブル内部導体（信号線）ＳＣａに対して、一対の第１の突状接点部１２ａ３，１２ａ３が、細線同軸ケーブルＳＣの軸線方向に並列して設けられた構成となっている。
【００３４】
さらに、上述した上側ビーム部１２ａ１に対して、ケーブル内部導体ＳＣａを挟んだ反対側の下方部位には、ケーブル挟持部１２ａの下側ビーム部１２ａ４が配置されている。この下側ビーム部１２ａ４には、細線同軸ケーブルＳＣのケーブル内部導体（信号線）ＳＣａが上方側から載置されるようにしてセットされ（図９参照）、その下側ビーム部１２ａ４上にセットされたケーブル内部導体（信号線）ＳＣａに対し、前述した上側ビーム部１２ａ１が折り曲げ変形されて上方側から押し付けられることで、それら両ビーム部１２ａ１，１２ａ４同士の間にケーブル内部導体（信号線）ＳＣａが挟持される構成になされている。
【００３５】
このときの下側ビーム部１２ａ４は、上側ビーム部１２ａ１との連結部分から基本的に平坦状をなして延出する板状部材から形成されており、前述した絶縁ハウジング１１の絶縁本体部１１ａの上表面に載置された状態で固定されている。この下側ビーム部１２ａ４には、第１接続監視穴１２ａ５が貫通形成されているが、当該導電第１接続監視穴１２ａ５とほぼ同軸状をなして、絶縁ハウジング１１に相手側コネクタに設けられた導電コンタクトが挿入される挿入孔が、第２接続監視穴１１ｂ１としての機能を兼ねて貫通形成されている。そして、それらの第１接続監視穴１２ａ５および第２接続監視穴１１ｂ１を通して、細線同軸ケーブルＳＣのケーブル内部導体（信号線）ＳＣａの配置状態が下方側から目視可能となっている。
【００３６】
さらに、上述した下側ビーム部１２ａ４の後端側部分には、板幅方向である左右方の両側に板状をなして略水平に張り出す一対の係止固定部１２ａ６，１２ａ６が形成されている。それら一対の係止固定部１２ａ６，１２ａ６は、絶縁ハウジング１１側に圧入されるものであって、導電コンタクト（シグナル導電コンタクト）１２の全体の固定を行うように構成されている。
【００３７】
さらにまた、下側ビーム部１２ａ４の上側表面には、上述した係止固定部１２ａ６，１２ａ６の根本部分に相当する位置に、上方に向かって突出する第２の突状接点部１２ａ７が形成されている。この第２の突状接点部１２ａ７は、断面略半円状の凸形状をなして板幅方向（左右方向）に延在しており、当該第２の突状接点部１２ａ７の上から、細線同軸ケーブルＳＣのケーブル内部導体（信号線）ＳＣａが載置されるようにセットされる（図１および図９参照）。このとき、当該第２の突状接点部１２ａ７は、細線同軸ケーブルＳＣの軸線方向において、上述した接点用穴１２ａ２の略中心部分に配置されており、当該第２の突状接点部１２ａ７が、前述したように細線同軸ケーブルＳＣのケーブル内部導体（信号線）ＳＣａに対して下方側から圧接する構成になされている。
【００３８】
この第２の突状接点部１２ａ７は、特に図１１に示されているように、前述した一対の第１の突状接点部１２ａ３，１２ａ３同士の間部分に配置されており、これら一対の第１の突状接点部１２ａ３，１２ａ３および第２の突状接点部１２ａ７を、前述した細線同軸ケーブルＳＣの軸線方向に見たとき、当該軸線方向において順に、一対の第１の突状接点部１２ａ３，１２ａ３の一方、第２の突状接点部１２ａ７、一対の第１の突状接点部１２ａ３，１２ａ３の他方が、並列して設けられた構成となっている。
【００３９】
そして、前述したようにシェル蓋部１３ｂが略水平状態まで押し倒された際に、細線同軸ケーブルＳＣのケーブル内部導体（信号線）ＳＣａに対して、一対の第１の突状接点部１２ａ３，１２ａ３が、上方側から圧接されるようにして接触されるとともに、それら一対の第１の突状接点部１２ａ３，１２ａ３同士の間部分において第２の突状接点部１２ａ７が、下方側から圧接されるようにして接触される構成になされている。このように、複数の突状接点部１２ａ３，１２ａ７，１２ａ３が、細線同軸ケーブルＳＣの軸線方向において交互に圧接されることで、当該細線同軸ケーブルＳＣのケーブル内部導体（信号線）ＳＣａが屈曲した形状に変形された状態となり、強固な接続状態が得られる。
【００４０】
一方、ケーブル挟持部１２ａから下方側に延出している弾性バネ部１２ｂは、上述した下側ビーム部１２ａ４の板幅方向（左右方向）に対向配置された一対の板状部材から形成されており、前述した下側ビーム部１２ａ４の板幅方向（左右方向）両側縁から外方側に張り出すように突出して直角下方側に向かって湾曲するように形成されている。これら一対の弾性バネ部１２ｂ，１２ｂは、板状部材からなる電極部１２ｂ１をそれぞれ有しており、それらの電極部１２ｂ１，１２ｂ１同士の間部分に、嵌合の相手コネクタ（リセプタクルコネクタ等）に設けられたピン形状の信号導電コンタクト（図示省略）が、圧接状態で挿入される構成になされている。
【００４１】
このように本実施形態においては、導電コンタクト（シグナル導電コンタクト）１２に設けられた第１の突状接点部１２ａ３，１２ａ３および第２の突状接点部１２ａ７が、細線同軸ケーブルＳＣのケーブル内部導体（信号線）ＳＣａの軸線方向において複数並列して設けられていることから、ケーブル内部導体（信号線）ＳＣａに対する導電コンタクト１２の接触箇所が増大された状態となり、その分、ケーブル内部導体（信号線）ＳＣａに対する接触力が増大し、保持性が高められる。
【００４２】
しかも本実施形態では、それら複数の第１の突状接点部１２ａ３，１２ａ３および第２の突状接点部１２ａ７が、軸線方向において異なる位置で径方向に押圧するように接触することとなり、細線同軸ケーブルＳＣのケーブル内部導体（信号線）ＳＣａが屈曲した状態で、さらに強固な接続状態が得られている。
【００４３】
さらに、本実施形態においては、第１の突状接点部１２ａ３，１２ａ３が、接点用穴１２ａ２の内周端縁によりエッジ形状をなすように形成され、それら第１の突状接点部１２ａ３，１２ａ３同士の間部分に、第２の突状接点部１２ａ７が入り込むように形成されていることから、同軸ケーブルＳＣのケーブル内部導体（信号線）ＳＣａが、より確実に屈曲状態になされ、同軸ケーブルＳＣの保持性がさらに向上されるようになっている。
【００４４】
特に、上述した第１の突状接点部１２ａ３，１２ａ３を形成している接点用穴１２ａ２の内周端縁は、板幅方向（左右方向）において同軸ケーブルＳＣを挟んだ両側から対向するエッジ形状を有していることから、同軸ケーブルＳＣが径方向に位置規制されることとなり、同軸ケーブルＳＣのケーブル内部導体（信号線）ＳＣａとの電気的接触が、さらに確実に行われる。
【００４５】
一方、上述した第１の実施形態と同一の構成部材に対して同一の符号を付した図１２ないし図１５にかかる第２の実施形態においては、ケーブル挟持部１２ａの上側ビーム部１２ａ１に設けられた第１の突状接点部１２ａ３が、上側ビーム部１２ａ１の一部を凹状に窪ますようにして形成された接点用凹部１２ａ８の端縁角部にエッジ形状をなすように形成されている。このような構成を有する第２実施形態においても、上述した第１実施形態と同様な作用・効果が得られる。
【００４６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００４７】
例えば、上述した実施形態においては、垂直嵌合型の電気コネクタに本発明を適用したものであるが、水平嵌合型の電気コネクタに対しても同様に適用することができる。
【００４８】
また、本発明は、上述した実施形態のような単芯の細線同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００４９】
以上のように本実施形態は、各種電気機器に使用される多種多様な電気コネクタに対して広く適用することが可能である。
【符号の説明】
【００５０】
１０  プラグコネクタ（同軸コネクタ）
ＳＣ  細線同軸ケーブル（信号伝送媒体）
ＳＣａ  ケーブル内部導体（信号線）
ＳＣｂ  ケーブル外部導体（シールド線）
１１  絶縁ハウジング
１１ａ  絶縁本体部
１１ｂ  絶縁挿入部
１１ｂ１  第２接続監視穴
１１ｃ  ケーブル支持部
１１ｄ  絶縁押圧板
１２  導電コンタクト（シグナル導電コンタクト）
１２ａ  ケーブル挟持部
１２ａ１  上側ビーム部
１２ａ２  接点用穴
１２ａ３  第１の突状接点部
１２ａ４  下側ビーム部
１２ａ５  第１接続監視穴
１２ａ６  係止固定部
１２ａ７  第２の突状接点部
１２ａ８  接点用凹部
１２ｂ  弾性バネ部
１２ｂ１  電極部
１３  シールドシェル（外部導電コンタクト）
１３ａ  シェル本体部
１３ｂ  シェル蓋部
１３ｃ  シェル挿入部
１３ｄ  繋ぎ部材
１３ｅ  後方板バネ部
１３ｆ  係合舌片
１３ｇ  ケーブル保持部
１３ｈ  連結係合部
【図１】
2014078322.tif 000003
【図２】
2014078322.tif 000004
【図３】
2014078322.tif 000005
【図４】
2014078322.tif 000006
【図５】
2014078322.tif 000007
【図６】
2014078322.tif 000008
【図７】
2014078322.tif 000009
【図８】
2014078322.tif 000010
【図９】
2014078322.tif 000011
【図１０】
2014078322.tif 000012
【図１１】
2014078322.tif 000013
【図１２】
2014078322.tif 000014
【図１３】
2014078322.tif 000015
【図１４】
2014078322.tif 000016
【図１５】
2014078322.tif 000017